(57)【要約】【課題】ガイドレールに対する組み付けや取り外しを、より少ない手間で簡便に行なえる引戸の閉じ支援装置と、その施工方法を提供する。【解決手段】ガイドレール２の内部に、戸パネル１を支持するランナー３と、閉じ支援ユニット４とを収容する。閉じ支援ユニット４は、閉止構造と、切換構造と、制動用のダンパー２２とをケース２３に収容して構成する。ケース２３の一端はランナー３に連結し、ケース２３の他端は移行体３８で支持する。ケース２３および移行体３８のそれぞれは、ガイドレール２に対してレール開口２ｂから出し入れ可能に形成する。以て、レール内部に挿入した移行体３８を、レール開口２ｂを横断する姿勢に変位操作して、閉じ支援ユニット４をガイドレール２に組み込み可能とする。【選択図】図１
2010209526.tif 000002
【特許請求の範囲】
【請求項１】
ガイドレール（２）の内部に、戸パネル（１）を支持するランナー（３）と、閉じ支援ユニット（４）とが収容されており、
閉じ支援ユニット（４）は、閉じばね（２１）の張力で戸パネル（１）を閉じ操作する閉止構造と、閉じばね（２１）を蓄力できる状態と、蓄力された張力を出力できる状態とに閉止構造を切り換える切換構造と、戸パネル（１）の閉じ動作を制動するダンパー（２２）とをケース（２３）に収容して構成されており、
ケース（２３）の一端はランナー（３）に連結され、ケース（２３）の他端は移行体（３８）で支持されており、
ケース（２３）および移行体（３８）のそれぞれが、ガイドレール（２）に対してレール開口（２ｂ）から出し入れ可能に形成されており、
レール内部に挿入した移行体（３８）を、レール開口（２ｂ）を横断する姿勢に変位操作して、閉じ支援ユニット（４）をガイドレール（２）に組み込む引戸の閉じ支援装置。
【請求項２】
移行体が、遊転自在な一対のローラー（３８）で構成されており、
使用状態における両ローラー（３８）の直径寸法（ｄ）が、レール開口（２ｂ）の前後寸法（Ｅ）より小く設定されており、
両ローラー（３８）の中心軸線をレール開口（２ｂ）の長手方向線と平行に保持し、かつ閉じ支援ユニット（４）の全体を縦長に支持した状態で、両ローラー（３８）をレール開口（２ｂ）に出し入れできる請求項１記載の引戸の閉じ支援装置。
【請求項３】
移行体が、レール壁（２ａ）でスライド案内されるスライダー（３８）で構成されており、
スライダー（３８）は、レール開口（２ｂ）を内外に挟持する外挟持ブロック（８５）および内挟持ブロック（８６）と、これら両者を連結する連結軸（８７）とを含み、
内挟持ブロック（８６）は、レール開口（２ｂ）に出し入れできる着脱姿勢と、レール開口（２ｂ）を前後に横断する掛止姿勢とに姿勢変更できるよう固定ブロック（８５）で支持されており、
内挟持ブロック（８６）を着脱姿勢にした状態で、スライダー（３８）および閉じ支援ユニット（４）をレール開口（２ｂ）に出し入れできる請求項１記載の引戸の閉じ支援装置。
【請求項４】
閉止構造が、ケース（２３）の一端に固定される固定ブロック（３３）と、ケース（２３）でスライド案内される可動ブロック（３４）とこれら両ブロック（３３・３４）に掛止される閉じばね（２１）とを含み、
固定ブロック（３３）に移行体（３８）が装着されており、
閉じ支援ユニット（４）の浮き離れを規制する規制片（４０）が固定ブロック（３３）に設けてある請求項１、２または３に記載の引戸の閉じ支援装置。
【請求項５】
閉じ端寄りにおいて戸パネル（１）をゆっくりと閉じ操作する横長の閉じ支援ユニット（４）の一端に、ガイドレール（２）のレール開口（２ｂ）に出し入れできる一対のローラー（３８）が設けられており、
両ローラー（３８）の中心軸線をレール開口（２ｂ）の長手方向線と平行に保持し、かつ閉じ支援ユニット（４）の全体を縦長に支持した状態で、両ローラー（３８）をレール開口（２ｂ）からガイドレール（２）内に差し込み、
両ローラー（３８）の中心軸線がレール開口（２ｂ）の長手方向線と直交する向きに、閉じ支援ユニット（４）の全体を回転操作して、レール開口（２ｂ）を前後に跨ぐ状態で両ローラー（３８）を前後のレール壁（２ａ）に掛止し、
閉じ支援ユニット（４）の全体を、両ローラー（３８）を支点にして揺動操作してレール開口（２ｂ）からガイドレール（２）内に差し込み、
閉じ支援ユニット（４）の端部をガイドレール（２）に組み込まれたランナー（３）に連結する閉じ支援装置の施工方法。
【請求項６】
閉じ端寄りにおいて戸パネル（１）をゆっくりと閉じ操作する横長の閉じ支援ユニット（４）の一端に、ガイドレール（２）のレール開口（２ｂ）に出し入れできるスライダー（３８）が設けられており、
スライダー（３８）は、レール開口（２ｂ）を内外に挟持する外挟持ブロック（８５）および内挟持ブロック（８６）と、これら両者（８５・８６）を連結する連結軸（８７）とを備えており、
スライダー（３８）の内挟持ブロック（８６）を着脱姿勢にした状態で、スライダー（３８）および閉じ支援ユニット（４）をレール開口（２ｂ）から差し込み、
内挟持ブロック（８６）を連結軸（８７）で回動操作して、レール開口（２ａ）を前後に横断する状態で内挟持ブロック（８６）を前後のレール壁（２ａ）に掛止し、
閉じ支援ユニット（４）の揺動先端側の端部を、ガイドレール（２）に組み込まれたランナー（３）に連結する閉じ支援装置の施工方法。
【発明の詳細な説明】
【技術分野】
【０００１】
本発明は、引戸の戸パネルを閉じ端寄りにおいて自動的にゆっくりと閉じ操作できる閉じ支援装置、およびその施工方法に関する。
【背景技術】
【０００２】
この種の閉じ支援装置において、ユニット部品化された閉じ支援ユニットをガイドレールの内部に配置する形態の閉じ支援装置が先に提案されている（特許文献１）。そこでは、閉じばねとエアーダンパー、および閉じばねを蓄力姿勢に保持し、あるいは閉じばねの蓄力保持状態を解除する切換構造などを、断面Ｃ字状のケースに組み込んで閉じ支援ユニットを構成している。閉じ支援ユニットの一端は戸パネルを吊持するランナーに連結され、他端はスライドピースで支持してある。ガイドレールの上壁の内面には、切換構造のロックアームを解除姿勢に切り換え操作する突起状の切換具が固定してある。
【０００３】
同様の閉じ支援ユニットは、特許文献２にもみることができ、そこでは閉じ支援ユニットの一端をランナーに連結し、他端を補助ローラーで支持している。先のケースに相当する枠体は、それぞれ断面コ字状の下枠と上枠とを結合して四角筒状に形成してあり、その内部に閉じばねと、エアダンパーと、切換構造などを収容している。
【０００４】
本発明の閉じ支援ユニットに関して、戸パネルの制動をシリンダー型のオイルダンパーで行なうことは特許文献３に公知である。そこでは、ケースの内部にオイルダンパーを配置し、ケース上面の前後に一対の閉じばねを配置している。
【先行技術文献】
【特許文献】
【０００５】
【特許文献１】特開２００９−０１３７７２号公報（段落番号００２７、図３参照）
【特許文献２】特開２００５−３５０９１２号公報（段落番号００３１、図７参照）
【特許文献３】特開２００８−２８５９３３号公報（段落番号００３９、図１参照）
【発明の概要】
【発明が解決しようとする課題】
【０００６】
従来の閉じ支援ユニットによれば、閉じ支援装置の殆どの構成部品がケース（または枠体）に組み込まれてユニット部品化してあるので、施工現場における施工の手間を軽減することができる。また、施工現場で閉じ支援ユニットを組み立てる必要がないので、組み立てミスを生じる余地もない。しかし、いずれの場合にも、閉じ支援ユニットをランナーとともにガイドレールの一端からレール内へ装填し、その状態のままでガイドレールを開口枠に固定する必要がある。そのため、閉じ支援ユニットの組み付けに多くの手間が掛かる。
【０００７】
閉じ支援ユニットは、その組み付けが適正である限り、長期にわたってメンテナンスの必要はない。しかし、施工時の組み立てが粗雑であると、使用期間が短いにもかかわらず機能不良に陥ることがある。また、ダンパーのシール不良によって充分な緩衝作用を適正に発揮できなくなることがある。こうした場合には、機能不良に陥った部品や摩耗した部品の交換や補修をする必要があるが、施工時に手間を要したのと同様に、閉じ支援ユニットをガイドレールから取り外す作業にも多くの手間が掛かる。
【０００８】
閉じ支援装置をガイドレールに組み込む場合には、既存のガイドレールを利用するのがコスト面から見て有利である。しかし、その場合には、閉じ支援ユニットがランナーの走行を阻害しないことを満足し、さらにガイドレールの内部空間の範囲内で閉じ支援ユニットを構成することが必然となり、設計の自由度が大きく制約される。既存のガイドレールを利用するには、閉じ支援ユニットのコンパクト化を実現するしかない。しかし、閉じ支援ユニットの殆どの部分をエアーダンパーが占める、特許文献１・２の閉じ支援ユニットにおいては、小型化を実現するのが難しい。例えば、閉じ支援ユニットを単にスケールダウンしたとしても、エアーダンパーの制動力や制動ストロークが不足するため実用にならない。
【０００９】
本発明の目的は、ガイドレールに対する組み付けや取り外しをより少ない手間で簡便に行なえる引戸の閉じ支援装置と、その施工方法を提供することにある。
【課題を解決するための手段】
【００１０】
本発明に係る引戸の閉じ支援装置においては、ガイドレール２の内部に、戸パネル１を支持するランナー３と、閉じ支援ユニット４とが収容してある。閉じ支援ユニット４は、閉じばね２１の張力で戸パネル１を閉じ操作する閉止構造と、閉じばね２１を蓄力できる状態と、蓄力された張力を出力できる状態とに閉止構造を切り換える切換構造と、戸パネル１の閉じ動作を制動するダンパー２２とをケース２３に収容して構成する。ケース２３の一端はランナー３に連結し、ケース２３の他端は移行体３８で支持する。ケース２３および移行体３８のそれぞれは、ガイドレール２に対してレール開口２ｂから出し入れ可能に形成する。以て、レール内部に挿入した移行体３８を、レール開口２ｂを横断する姿勢に変位操作して、閉じ支援ユニット４をガイドレール２に組み込む。
【００１１】
図１に示すように移行体は、遊転自在な一対のローラー３８で構成する。両ローラー３８の直径寸法ｄは、レール開口２ｂの開口幅Ｅより小く設定する。以て、両ローラー３８の中心軸線をレール開口２ｂの長手方向線と平行に保持し、かつ閉じ支援ユニット４の全体を縦長に支持した状態で、両ローラー３８をレール開口２ｂに出し入れ可能とする。
【００１２】
図１４に示すように移行体は、レール壁２ａでスライド案内されるスライダー３８で構成する。スライダー３８は、レール開口２ｂを内外に挟持する外挟持ブロック８５および内挟持ブロック８６と、これら両者を連結する連結軸８７とを含む。内挟持ブロック８６は、レール開口２ｂに出し入れできる着脱姿勢と、レール開口２ｂを前後に横断する掛止姿勢とに姿勢変更できるよう固定ブロック８５で支持する。以て、内挟持ブロック８６を着脱姿勢にした状態で、スライダー３８および閉じ支援ユニット４をレール開口２ｂに出し入れ可能とする。
【００１３】
閉止構造は、ケース２３の一端に固定される固定ブロック３３と、ケース２３でスライド案内される可動ブロック３４とこれら両ブロック３３・３４に掛止される閉じばね２１とを含む。固定ブロック３３に移行体３８を装着する。閉じ支援ユニット４の浮き離れを規制する規制片４０を固定ブロック３３に設ける。
【００１４】
本発明に係る閉じ支援装置の施工方法においては、閉じ端寄りにおいて戸パネル１をゆっくりと閉じ操作する横長の閉じ支援ユニット４の一端に、ガイドレール２のレール開口２ｂに出し入れできる一対のローラー３８を設ける。両ローラー３８の中心軸線をレール開口２ｂの長手方向線と平行に保持し、かつ閉じ支援ユニット４の全体を縦長に支持した状態で、両ローラー３８をレール開口２ｂからガイドレール２内に差し込む。次に、両ローラー３８の中心軸線がレール開口２ｂの長手方向線と直交する向きに、閉じ支援ユニット４の全体を回転操作して、レール開口２ｂを前後に跨ぐ状態で両ローラー３８を前後のレール壁２ａに掛止する。さらに、閉じ支援ユニット４の全体を、両ローラー３８を支点にして揺動操作してレール開口２ｂからガイドレール２内に差し込む。最後に、閉じ支援ユニット４の揺動先端側の端部を、ガイドレール２に組み込まれたランナー３に連結する。
【００１５】
本発明に係る閉じ支援装置の別の施工方法においては、閉じ端寄りにおいて戸パネル１をゆっくりと閉じ操作する横長の閉じ支援ユニット４の一端に、ガイドレール２のレール開口２ｂに出し入れできるスライダー３８を設ける。スライダー３８は、レール開口２ｂを内外に挟持する外挟持ブロック８５および内挟持ブロック８６と、これら両者８５・８６を連結する連結軸８７とを備えている。スライダー３８の内挟持ブロック８６を着脱姿勢にした状態で、スライダー３８および閉じ支援ユニット４をレール開口２ｂから差し込む。次に、内挟持ブロック８６を連結軸８７で回動操作して、レール開口２ａを前後に横断する状態で内挟持ブロック８６を前後のレール壁２ａに掛止する。最後に、閉じ支援ユニット４の端部をガイドレール２に組み込まれたランナー３に連結する。
【発明の効果】
【００１６】
本発明の閉じ支援装置においては、閉じばね２１、閉止構造、切換構造、ダンパー２２と、これらの部材を収容するケース２３などで、閉じ支援ユニット４を１個のユニット部品として構成した。また、ケース２３と、ケース２３の一端を支持する移行体３８のそれぞれを、ガイドレール２に対してレール開口２ｂから出し入れ可能として、閉じ支援ユニット４をガイドレール２に後組みできるようにした。具体的には、レール内部に挿入した移行体３８を、レール開口２ｂを横断する姿勢に変位操作することにより、閉じ支援ユニット４をレール開口２ｂからガイドレール２に組み込めるようにした。
【００１７】
したがって、本発明の閉じ支援装置によれば、ガイドレール２に対する閉じ支援ユニット４の組み付けや取り外しを、より少ない手間で簡便に行なうことができ、閉じ支援ユニット４がユニット部品化してあることとも相俟って、施工現場における施工の手間をさらに軽減できる。また、閉じ支援ユニット４が、レール開口２ｂからガイドレール２内に組み込めるほどコンパクトに構成してあるので、既存のガイドレールであっても、閉じ支援ユニット４を適用できることがあり、従来のこの種の閉じ支援装置に比べて汎用性を向上できる。
【００１８】
遊転自在な一対のローラー３８で移行体を構成し、両ローラー３８の直径寸法ｄをレール開口２ｂの開口幅Ｅより小く設定すると、両ローラー３８をレール開口２ｂに簡単に出し入れでき、閉じ支援ユニット４のガイドレール２に対する組み付けの手間をさらに省くことができる。詳しくは、両ローラー３８の中心軸線をレール開口２ｂの長手方向線と平行に保持し、かつ閉じ支援ユニット４の全体を縦長に支持した状態で、両ローラー３８をレール開口２ｂに差し込むことができる。さらに、閉じ支援ユニット４の全体を回転操作するだけで、レール開口２ｂを前後に跨ぐ状態で両ローラー３８を前後のレール壁２ａに掛止できる。閉じ支援ユニット４をガイドレール２から取り外すときの手間も同様に省くことができる。
【００１９】
レール壁２ａに沿ってスライドできるスライダー３８で移行体を構成し、スライダー３８を外挟持ブロック８５および内挟持ブロック８６と連結軸８７などで構成すると、内挟持ブロック８６を着脱姿勢にした状態で、スライダー３８および閉じ支援ユニット４をレール開口２ｂに出し入れできる。また、レール内に差し込んだ内挟持ブロック８６を連結軸８７で操作して、レール開口２ｂを前後に横断する掛止姿勢に切り換えることができる。このように、内外一対の挟持ブロック８５・８６で移行体を構成すると、内挟持ブロック８６を掛止姿勢に切り換えて固定した状態において、閉じ支援ユニット４を概ね水平姿勢に保持できる。したがって、閉じ支援ユニット４のランナー３に対する連結作業をより簡便に行なえる。
【００２０】
ケース２３の一端に固定される固定ブロック３３に、閉じ支援ユニット４の浮き上がりを規制する規制片４０を設けると、移行体３８をガイドレール２内に差し込む際に、規制片４０がレール壁２ａに接当して移行体３８が必要以上に差し込まれるのを規制して、レール内部に挿入した移行体３８の変位操作を的確に行なえる。とくに、移行体３８が外挟持ブロック８５および内挟持ブロック８６で構成してある場合には、外挟持ブロック８５をガイドレール２に押し付けて、連結軸８７による内挟持ブロック８６の姿勢変更を確実に行なえる。使用状態においては、閉じ支援ユニット４がレール壁２ａから浮き離れ、あるいは閉じ支援ユニット４がレール内部に落ち込むのを規制片４０で規制して、閉じ支援ユニット４を適正な使用姿勢に保持できる。
【００２１】
本発明に係る閉じ支援装置の施工方法においては、閉じ支援ユニット４を所定の姿勢に保持した後、両ローラー３８をレール開口２ｂから差し込み、閉じ支援ユニット４の全体を回転操作するだけで、両ローラー３８を前後のレール壁２ａに簡単にしかも確実に掛止できる。また、閉じ支援ユニット４をレール開口２ｂからガイドレール２内に差し込んでランナー３と連結することにより、閉じ支援ユニット４の取り付けを完了できる。このように、本発明の施工方法によれば、従来の施工方法に比べて、閉じ支援ユニット４の組み付け作業をより少ない手間で確実に行なえる。また、必要時には、閉じ支援ユニット４をより簡単にガイドレール２から取り外すことができる。開口枠に固定した状態のガイドレール２に、閉じ支援ユニット４を後組みできるので、ガイドレール２の取り付け作業を簡便化できる利点もある。
【００２２】
本発明に係る閉じ支援装置の別の施工方法においては、スライダー３８の内挟持ブロック８６を着脱姿勢にした状態で、スライダー３８と閉じ支援ユニット４をレール開口２ｂから差し込み、内挟持ブロック８６を掛止姿勢に切り換えることにより前後のレール壁２ａに簡単にしかも確実に掛止できる。また、閉じ支援ユニット４の端部をランナー３と連結することにより、閉じ支援ユニット４の取り付けを完了できる。したがって、本発明の施工方法によれば、上記の施工方法と同様に、ガイドレール２に対する閉じ支援ユニット４の組み付け作業をより少ない手間で確実に行なえる。開口枠に固定した状態のガイドレール２に、閉じ支援ユニット４を後組みできるので、ガイドレール２の取り付け作業を簡便化できる利点もある。
【図面の簡単な説明】
【００２３】
【図１】閉じ支援ユニットの組み付け手順を示す説明図である。
【図２】引戸の正面図である。
【図３】閉じ支援装置の縦断正面図である。
【図４】閉じ支援ユニットの一部を破断した分解正面図である。
【図５】切換構造の分解斜視図である。
【図６】戸パネルを閉じた状態における切換構造の縦断正面図である。
【図７】戸パネルを開放し始めた状態における閉じ支援ユニットの縦断正面図である。
【図８】図７におけるＡ−Ａ線断面図である。
【図９】図７におけるＢ−Ｂ線断面図である。
【図１０】ロックアームの切り換え動作を示す縦断正面図である。
【図１１】トリガーアームの切り換え動作を示す縦断正面図である。
【図１２】戸パネルを開放した状態における切換構造の縦断正面図である。
【図１３】戸パネルを閉じ操作するときの切換構造の動作を示す縦断正面図である。
【図１４】移行体の別の実施例を示す平面図である。
【図１５】図１４におけるＣ−Ｃ線断面図である。
【図１６】閉じ支援ユニットの組み付け手順を示す説明図である。
【発明を実施するための形態】
【００２４】
（実施例）  図１ないし図１３は本発明に係る閉じ支援装置を引戸に適用した実施例を示す。図２に示す引戸は、ウォークインクロゼットや屋内収納室の出入口を１枚構造の戸パネル１で開閉する場合を示している。なお、本発明における上下、左右とは、図２に示す交差矢印と上下、左右、前後の文字表示に従うものとする。出入口に設けられる開口枠の上部には、戸パネル１を開閉案内するガイドレール２が固定してあり、その内部に戸パネル１を吊持するランナー３と、閉じ支援ユニット４が収容してある。ランナー３は、戸パネル１の上部上隅に装着されるランナー台５に対してランナー軸６を介して連結してある。ランナー３で吊持された戸パネル１のふらつきを規制するために、戸パネル１の下面に設けたスライド溝７を床面に固定したガイド８で案内している。符号９は把手である。
【００２５】
図８に示すように、ガイドレール２は、下向きに開口する断面Ｃ字状のアルミニウム条材からなり、その下端に前後一対のレール壁２ａが対向状に形成され、両レール壁２ａの間に先のランナー軸６を通すためのレール開口２ｂが設けてある。この実施例におけるガイドレール２は、閉じ支援装置を備えていない引戸のランナー用に設けられた既存のガイドレールをそのまま利用しており、一般的なガイドレールに比べてレール内面の上下寸法が小さく設定してある。
【００２６】
図３においてランナー３は、左右に長いランナーブロック１２と、ランナーブロック１２の前後面の左右に配置される４個のローラー１３と、前後で対になるローラー１３を軸支するローラー軸１４などで構成してある。ランナーブロック１２の一側上部には、閉じ支援ユニット４を連結するための連結座１５が横向きに突設されて、その肉壁の内部に板ナット（ナット体）１６が装着してある。ランナー３は、戸パネル１の閉じ端側と開放端側とを吊持するが、閉じ端側のランナー３の連結座１５に閉じ支援ユニット４の端部がボルト１７で連結される。図１２に示すように、支援ユニット４を連結座１５に締結した状態では、ボルト１７のねじ軸上端は板ナット１６に臨む上側のボルト穴に達するが、ボルト穴の直径寸法をボルト１７の直径寸法より小さく設定しておき、ねじ軸を板ナット１６と同時にボルト穴にもねじ込むことにより、ボルト１７が緩むのを確実に防止できる。
【００２７】
閉じ支援装置は、ガイドレール２内に組み付けられる閉じ支援ユニット４と、ガイドレール２の上壁内面に固定される切換具２０とで構成する。図３において閉じ支援ユニット４は、閉じばね２１の張力で戸パネル１を閉じ操作する閉止構造と、切換具２０で切り換え操作される切換構造と、戸パネルの閉じ動作を制動するダンパー２２と、これらの部材を収容するケース２３などで構成する。切換具２０で切換構造を切り換え操作することにより、閉止構造の閉じばね２１を蓄力できる状態と、閉じばね２１の張力を出力できる状態とに切り換えることができる。
【００２８】
ケース２３は、断面がＣ字状のステンレス条材からなり、その内部に閉じばね２１、閉止構造、切換構造、ダンパー２２が組み付けられる。図４および図５においてケース２３の上面側には、先の各部材の浮き上がりを規制する規制壁２３ａが折り曲げてある。ケース２３の閉じ端寄りの底壁にはロック開口２５が形成され、ケース２３の底壁の中央付近にダンパー２２を保持する爪２６が上向きに折り起こしてある。ケース２３の閉じ端にはパイロット片２７がピン２８でかしめ固定してあり、同様にケース２３の開放端には固定ブロック３３がピン２９でかしめ固定してある。パイロット片２７に臨むケース２３の前後壁には、ローラー窓３０が形成してある。
【００２９】
閉止構造は、引っ張りばねからなる閉じばね２１と、閉じばね２１の一端が掛止される固定ブロック３３と、同ばね２１の他端が形成される可動ブロック３４とで構成する。固定ブロック３３は射出成形品からなり、可動ブロック３４との対向側面の上下に、閉じばね２１用の掛止片３５と、ダンパー２２の端部を受け止める保持凹部３６とが形成してある。また、固定ブロック３３の開放端側の側面にはブラケット３７が横向きに突設され、ブラケット３７の突端の前後に設けた一対のローラー（移行体）３８をローラー軸３９で遊転自在に軸支している。ブラケット３７より下側の固定ブロック３３の前後には、閉じ支援ユニット４の浮き上がりを規制する規制片４０が張り出してある。図９に示すように、固定ブロック３３の内部には振止めローラー４１が配置されて、ピン２９で遊転自在に軸支してある。固定ブロック３３は、ピン２９を利用してケース２３の開放端に固定してある。
【００３０】
可動ブロック３４は、横長四角形状の射出成形品からなり、その内部に閉じ端側と下面側へ向かって開口する連繋凹部４２が形成してある。可動ブロック３４の固定ブロック３３との対向面の上下には、閉じばね２１用の掛止片４３と、ダンパー２２のピストンロッド４７を係合する係止凹部４４とが形成してある。閉じばね２１は、ケース２３に組まれた固定ブロック３３と可動ブロック３４の各掛止片３５・４３に掛止されて、両ブロック３３・３４を互いに近づく向きに引き寄せ操作する。可動ブロック３４は、ケース２３で相対スライド可能に案内支持してある。
【００３１】
ダンパー２２は、シリンダー４６の内部にオイルが封入してあるシリンダー型のオイルダンパーからなり、ピストンおよびピストンロッド４７がシリンダー４６内へ相対的に退入移動するときの運動エネルギーを吸収して制動する。つまり、戸パネル１が閉じ移動するときに制動作用を発揮でき、したがって、戸パネル１が乱暴に閉じ操作されるような場合でも、その閉じ動作をゆっくりとしたものにできる。シリンダー４６は、固定ブロック３３の保持凹部３６と、ケース２３の爪２６との間に移動不能に嵌め込み装着される。ピストンロッド４７の突端に固定したキャップ４８は、先の係止凹部４４に下面側から係止固定してある。ダンパー２２の上側の空間を利用して、先の閉じばね２１が配置してある。
【００３２】
図４および図５において切換構造は、トリガーベース５１と、トリガーベース５１でシーソー揺動可能に支持されるトリガーアーム５２と、先に述べたパイロット片２７、および可動ブロック３４に組み付けられるロックアーム５３などで構成する。トリガーベース５１は、角軸状のスライド軸５５と、トリガーアーム５２を収容するアームホルダ５６とを一体に備えた射出成形品からなり、スライド軸５５が可動ブロック３４の連繋凹部４２で左右スライド自在に案内支持してある。トリガーベース５１の全体は、スライド軸５５と連繋凹部４２の内奥端との間に配置した復帰ばね５７で、閉じ端側へ向かって進出付勢してある。復帰ばね５７は圧縮コイルばねからなる。
【００３３】
トリガーアーム５２は、左右に長いアーム状の射出成形品からなり、その左右中途部がトリガーベース５１に固定したピン６０で揺動可能に支持してある。ピン６０より右側のアーム上面には、切換具２０と係脱するトリガー爪６１が形成され、ピン６０より左側ののアーム部分は、パイロット片２７で押し上げ操作される受動アーム６２としてある。トリガーアーム５２は、アームホルダ５６の内部に配置したトリガーばね６３で、トリガー爪６１が切換具２０と係合する向き（上向き）に付勢してある。トリガーばね６３は圧縮コイルばねからなる。
【００３４】
ロックアーム５３は、左右に長いくさび状の射出成形品からなり、大半の部分が可動ブロック３４の連繋凹部４２の下側に収容されて、可動ブロック３４に固定したピン６５でシーソー揺動可能に支持してある。ロックアーム５３の右端の上隅には、復帰ばね５７の付勢力に抗してトリガーベース５１を受け止める段部６６が切り欠いてある。段部６６に連続する円弧周面が、ケース２３に設けたロック開口２５と係合するロック係合部６７になっている。
【００３５】
ロックアーム５３は、トリガーベース５１が可動ブロック３４に対してスライド変位するとき変位操作されて、ロック係合部６７がロック開口２５に係合するロック姿勢（図１０（ｂ）に示す状態）と、ロック係合部６７がロック開口２５から離脱するロック解除姿勢（図１０（ａ）に示す状態）とに揺動できる。そのために、トリガーアーム５２のスライド軸５５の下面に、先の段部６６の出入りを許す逃げ凹部６８が上凹み状に形成してある。また、段部６６で受け止められるストッパー部６９が、逃げ凹部６８の開放端側に隣接する状態で形成してある。さらに、スライド軸５５の基端下面に、ロック状態のロックアーム５３をロック解除操作する操作面７０が斜めに形成してある。ロック解除状態において逃げ凹部６８に入り込んだ段部６６は、逃げ凹部６８の開放端側の斜面７１を受け止めている（図１０（ａ）参照）。
【００３６】
パイロット片２７は、横長四角形状のジョイント部７２と、ジョイント部７２の右端下部に突設されるくさび状のパイロット爪７３とを一体に備えた射出成形品からなる。ジョイント部７２の内部には振止めローラー７４が配置されて、ピン２８で遊転自在に軸支してある。パイロット爪７３は、受動アーム６２の下面にもぐりこんでトリガーアーム５２を揺動操作し、トリガー爪６１と受溝７９との係合を解除する。ケース２３の左右端に配置される振止めローラー４１・７４は、前後のレール壁２ａの対向面で受け止められて、閉じ支援ユニット４が蛇行するのを規制する。パイロット片２７のジョイント部７２は、閉じ端側のランナー３の連結座１５の下面に接合されて、板ナット１６に下方からねじ込まれるボルト１７で連結される。
【００３７】
図１２において切換具２０は、ガイドレール２の上壁にビスで締結されるベース７８を有し、ベース７８の下面中央にトリガーアーム５２の姿勢を切り換える台形状の突起を設け、突起の下面にトリガー爪６１と係脱する受溝７９を形成してなる。受溝７９を含む先の突起は、ガイドレール２の前後方向の中央に位置しているので、ランナー３が開閉移動するとき、切換具２０がランナーブロック１２やローラー１３と干渉することはない。受溝７９の左の溝側面には、トリガー爪６１の先端を受け止める第１受面８０が形成してある。また、受溝７９の右の溝側面には、トリガー爪６１を受け止める第２受面８１が形成してある。
【００３８】
以上のように構成した閉じ支援装置によれば、切換具２０を除く構成部品の全てをケース２３に組み付けて閉じ支援ユニット４としてユニット部品化するので、施工時に閉じ支援装置の組み立てを行なう必要がなく、その分だけ施工の手間を省くことができる。また、ダンパー２２として、充分な制動力を発揮できるにもかかわらず、小形でコンパクトなシリンダー型のオイルダンパーを使用するので、閉じ支援ユニット４の全体をコンパクト化して、既存のガイドレール２であっても支障なく適用できる、汎用性に優れた閉じ支援ユニット４が得られる。
【００３９】
トリガーベース５１、トリガーアーム５２、パイロット片２７と、可動ブロック３４に組み付けられるロックアーム５３などで切換構造を構成し、トリガーアーム５２およびロックアーム５３の姿勢の切り換えを各機構部品の機械的な動作によって行なうので、戸パネル１の開閉を円滑に、しかもより小さな力で軽快に行なえる。また、戸パネル１の大きさや重量が異なる場合でも切換構造を共通して適用できる。
【００４０】
支援ユニット４におけるケース２３の前後幅、および振止めローラ４１・７４の直径寸法は、レール開口２ｂの開口幅Ｅより僅かに小さく設定してある。同様に、両ローラー３８の直径寸法ｄは、レール開口２ｂの開口幅Ｅより僅かに小さく設定してあり（図９参照）。支援ユニット４は従来の閉じ支援ユニットに比べて著しくコンパクト化されており、その全長は戸パネル１の左右幅の約４割以下でしかない。
【００４１】
図６に示すように、戸パネル１が閉じ状態にあるとき、トリガーアーム５２のトリガー爪６１は、切換具２０の受溝７９に落ち込んで係合状態になっている。ロックアーム５３はロック解除姿勢に保持されて、段部６６の一部が逃げ凹部６８の内部に入り込んでいる。この状態のトリガーベース５１には復帰ばね５７の付勢力が作用しており、復帰ばね５７の付勢力は、逃げ凹部６８の斜面７１を介してロックアーム５３にも作用している。そのため、ロックアーム５３には時計回転方向の揺動モーメントが作用している。しかし、ロックアーム５３の下面がケース２３の底壁で受け止められているため、ロックアーム５３が揺動することはない。閉じばね２１は、固定ブロック３３と可動ブロック３４とを接近する向きに引き寄せて全体が縮んだ状態になっている。パイロット片２７とトリガーアーム５２の間隔寸法は最大の状態になっている。
【００４２】
（開放時の閉止構造および切換構造の動作）
上記の状態から戸パネル１を開放操作すると、トリガーアーム５２が切換具２０で受け止められているため可動ブロック３４は移動できず、図７に示すようにケース２３、固定ブロック３３、シリンダー４６がランナー３に同行して開放方向へ移動する。固定ブロック３３が移動するのに伴なって、閉じばね２１は徐々に伸長変形されて蓄力する。閉じばね２１が伸長するのに伴なって、図１０（ａ）に示すように、パイロット爪７３がトリガーアーム５２の受動アーム６２の近傍まで接近し、さらにロック開口２５がロックアーム５３の下方位置に接近する。
【００４３】
ケース２３に設けたロック開口２５がロックアーム５３の真下に位置した状態では、図１０（ｂ）に示すように、時計回転方向の揺動モーメントを受けたロックアーム５３が、ロック開口２５に落ち込んでロック姿勢に切り換わり、ロック係合部６７がロック開口２５の開口縁で受け止められる。この状態では、可動ブロック３４が固定ブロック３３側へ移動しようとするのを、ロックアーム５３が阻止しており、したがって閉じばね２１を伸長した蓄力状態に保持できる。
【００４４】
ロックアーム５３がロック開口２５に落ち込むのと同時に、段部６６と斜面７１との係合が解除されるので、トリガーベース５１は復帰ばね５７で閉じ端側へ押し出され、そのストッパー部６９が段部６６で受け止められる。ロックアーム５３がロック開口２５に落ち込んだ直後に、パイロット爪７３が受動アーム６２の下面にもぐり込んで、トリガーアーム５２の全体をトリガーばね６３の付勢力に抗して時計回転方向へ揺動させる。これにより、トリガー爪６１は図１０（ｂ）に示すように、その上端が第２受面８１の下端付近まで下降し、ケース２３の開口面から僅かに露出する状態に保持される。
【００４５】
引き続き戸パネル１を開放操作することにより、図１１（ａ）に示すようにトリガー爪６１が受溝７９の第２受面８１に接当する。そして、受動アーム６２がパイロット爪７３の斜面上部まで押し上げられた状態では、図１１（ｂ）に示すように、トリガー爪６１が受溝７９から抜け出て係合解除状態に切り換わる。先に説明したように、トリガー爪６１が係合解除状態に切り換わるのに先行して、トリガーアーム５２はパイロット爪７３で揺動操作されて、トリガー爪６１の上端が第２受面８１の下端近傍に位置保持してある。そのため、トリガー爪６１が受溝７９から抜け出るのに必要なトリガーアーム５２の揺動角度を極く小さくして、トリガー爪６１が受溝７９から抜け出る動作を円滑に行なって、戸パネル１をより軽快に開放操作できる。同時に、トリガー爪６１が第２受面８１に接当する時の接当音を抑止できる。因みに、トリガー爪６１が受溝７９内に大きく入り込んだ状態のままで戸パネル１を開放操作すると、トリガーアーム５２を大きく下方揺動してトリガー爪６１を受溝７９から離脱させる必要があり、戸パネル１の開放動作がぎくしゃくする。また、トリガー爪６１が第２受面８１に接当する時の接当音が大きくなってしまう。以後は、図１２に示すように、ロックアーム５３がロック姿勢に切り換わった状態を維持したままで、閉じ支援ユニット４がランナー３に同行移動する。このとき、トリガーアーム５２はパイロット爪７３で受け止められて、トリガー爪６１の突端の一部がケース２３の開口面より上方に突出している。
【００４６】
（閉じ時の閉止構造および切換構造の動作）
任意の開放位置から戸パネル１を閉じ操作すると、図１３（ａ）に示すように、閉じ端側のランナー３が切換具２０の下面を通過し、さらに、トリガー爪６１の突端が受溝７９の第２受面８１の下面をくぐり抜けたのち、第１受面８０に接当する。そのため、トリガーアーム５２およびトリガーベース５１は閉じ方向へ移動できないが、ケース２３、固定ブロック３３、可動ブロック３４は、復帰ばね５７を圧縮変形させながら閉じ方向へ移動する。この移動に伴なって、パイロット爪７３が受動アーム６２から抜け出し、その分だけトリガーアーム５２が受溝７９側へ揺動する。同時に、ロックアーム５３の閉じ端側の端部が、トリガーベース５１に設けた操作面７０に接当して、反時計回転方向へと揺動される。その結果、図１３（ｂ）に示すように、ロックアーム５３がロック開口２５から抜け出てロック解除姿勢に切り換わる。
【００４７】
ロックアーム５３がロック解除状態に切り換わった状態では、ロックアーム５３による可動ブロック３４の移動規制作用は解除されるものの、今度はトリガー爪６１が受溝７９と係合して、可動ブロック３４の移動を規制する。そのためケース２３、固定ブロック３３などが、閉じばね２１に引っ張られて閉じ端側へ移動し、戸パネル１を閉止操作する。このとき、ダンパー２２によって閉じ動作が制動されるので、戸パネル１はゆっくりと閉じ移動する。
【００４８】
施工時の勘違いや錯誤などによって、戸パネル１を左右のランナーに吊り込んだ状態において、ロックアーム５３がロック解除姿勢に切り換わっている場合には、ロックアーム５３をロック姿勢にリセットする必要がある。本発明の閉じ支援ユニット４によれば、閉じ支援ユニット４をガイドレール２から取り外す必要もなく、ロックアーム５３のリセット作業を誰もが簡単に行なえる。
【００４９】
ロックアーム５３がロック解除姿勢に切り換わっている場合には、可動ブロック３４が閉じばね２１で固定ブロック３３側へ引き寄せられている。戸パネル１を閉じ端まで移動操作すると、図６に示すようにトリガー爪６１が受溝７９に落ち込み係合して、可動ブロック３４の移動が規制される。この状態で、戸パネル１を開放操作すると、先に説明したように、ケース２３を可動ブロック３４に対してスライド変位させて閉じばね２１を蓄力でき、ばねの伸長ストロークの終端寄りでロックアーム５３をロック姿勢に切り換えることができる。つまり、戸パネル１を一旦閉じ操作した後、開放操作するだけの簡単な操作で、ロックアーム５３をリセットし、閉じ支援機能を適正に機能させることができる。トリガー爪６１が受溝７９に落ち込み係合する時のリセット動作を容易化するために、受溝７９の左右幅をトリガー爪６１の左右幅より僅かに大きく設定している。
【００５０】
（閉じ支援ユニットの施工方法）
閉じ支援ユニット４は、以下の手順に従って施工することにより、簡便にガイドレール２内に組み込むことができる。まず、ランナー３が装填されたガイドレール２を開口枠の上枠に締結する。次に、図１（ａ）に示すように、ローラー３８の中心軸線をレール開口２ｂの長手方向線と平行に保持し、さらに閉じ支援ユニット４の全体を縦長に支持する。この状態で両ローラー３８をレール開口２ｂからガイドレール２内に差し込み、想像線で示すように、両ローラー３８の中心軸線がレール開口２ｂの長手方向線と直交する向きに、閉じ支援ユニット４の全体を回転操作する。
【００５１】
次に、図１（ｂ）に示すように、レール開口２ｂを前後に跨ぐ状態で両ローラー３８を前後のレール壁２ａに掛止する。さらに、図１（ｃ）に示すように、閉じ支援ユニット４の全体を、両ローラー３８を支点にして上向きに揺動操作して、レール開口２ｂからガイドレール２内に差し込む。最後に閉じ支援ユニット４端部に設けたパイロット片２７のジョイント部７２を、閉じ端側のランナー３の連結座１５の下面にあてがって、パイロット片２７の下方から差し込んだボルト１７を板ナット１６にねじ込んで、閉じ支援ユニット４をランナー３に連結する。
【００５２】
上記のように、本発明の閉じ支援ユニット４は、レール開口２ｂからレール内部に挿入したローラー３８を、レール開口２ｂを横断する姿勢に変位操作するだけで、閉じ支援ユニット４をレール開口２ｂからガイドレール２の内部に組み込むことができる。したがって、ランナーとともにガイドレールに先組みする必要があった従来の閉じ支援ユニットに比べて、閉じ支援ユニット４のガイドレール２に対する組み付けをより少ない手間で簡便に行なえる。また、何らかの理由で機能不良に陥った部品や摩耗した部品の交換や補修をする必要がある場合でも、先に説明した手順を逆にたどることにより、閉じ支援ユニット４をガイドレール２から簡単に取り外すことができる。
【００５３】
本発明の閉じ支援装置は以下の形態で実施することができる。
ガイドレール２の内部に、戸パネル１を支持するランナー３と、閉じ支援ユニット４とが収容されており、
閉じ支援ユニット４は、閉じばね２１の張力で戸パネル１を閉じ操作する閉止構造と、閉止構造を切り換える切換構造と、戸パネル１の閉じ動作を制動するダンパー２２とをケース２３に収容して構成されており、
閉止構造は、ケース２３の一端に固定される固定ブロック３３と、ケース２３で相対スライド可能に案内支持される可動ブロック３４と、両端が両ブロック３３・３４に軽視される閉じばね２１とで構成されており、
切換構造は、可動ブロック３４で復帰ばね５７を介して左右スライド可能に支持されるトリガーベース５１と、トリガーベース５１でシーソー揺動可能に支持されて、切換具２０の受溝７９に係脱するトリガーアーム５２と、トリガーアーム５２を係合付勢するトリガーばね６３と、可動ブロック３４で支持されて、ケース２３のロック開口２５に係脱するロックアーム５３と、閉じ端側のランナー３に固定されるパイロット片２７とで構成されており、
戸パネル１の開閉動作に連動して、トリガーアーム５２の受溝７９に対する係脱状態を切換具２０とパイロット片２７とで切り換え、さらにロックアーム５３のロック開口２５に対する係脱状態をトリガーベース５１で切り換えて、閉じばね２１を蓄力できる状態と、蓄力された閉じばね２１を保持する状態と、閉じばね２１の張力を出力できる状態とに切り換えることができることを特徴とする引戸の閉じ支援装置。
【００５４】
上記の閉じ支援装置によれば、閉じ状態の戸パネル１を開放操作するだけで、閉じばね２１を蓄力された状態に復帰保持でき、同時にダンパー２２を制動待機状態に復帰保持できる。したがって、使用者は、通常の戸パネルと同様に、単に戸パネル１を開閉操作するだけで、閉じ端において閉じ支援機能と制動機能とを発揮させて、戸パネル１の閉じ忘れや、乱暴に閉じ操作されるときの跳ね返りを防止できる。
【００５５】
戸パネル１を閉じた状態において、トリガーアーム５２のトリガー爪６１が切換具２０の受溝７９と係合して、可動ブロック３４の移動を規制しており、
戸パネル１を閉じ位置から開放操作するのに連動して、ケース２３および固定ブロック３３が戸パネル１と同行移動して閉じばね２１を蓄力し、ロックアーム５３がロック開口２５と係合して閉じばね２１の蓄力状態を保持でき、
引き続き戸パネル１を開放操作することにより、トリガーアーム５２をパイロット片２７でトリガーばね６３の付勢力に抗しながら操作して受溝７９との係合を解除できる閉じ支援装置であって、
トリガー爪６１が受溝７９から離脱するのに先行して、トリガーアーム５２をパイロット爪７３で揺動操作してトリガー爪６１の上端が受溝７９の下端近傍に位置保持してある引戸の閉じ支援装置。
【００５６】
上記の閉じ支援装置によれば、トリガー爪６１が受溝７９から抜け出るのに必要な揺動角度を極力小さくして、トリガー爪６１が受溝７９から抜け出る動作を円滑に行なって、戸パネル１をより軽快に開放操作できる。また、トリガー爪６１が受溝７９に接当する時の接当音を抑止して静音化できる。
【００５７】
ロックアーム５３がロック解除状態に切り換わり、閉じばね２１が収縮している状態において、戸パネル１の閉じ端からトリガーアーム５２のトリガー爪６１までの距離と、閉じ端から切換具２０の受溝７９までの距離とが一致させてあり、
任意の開放位置から戸パネル１を閉じ操作してトリガー爪６１を受溝７９に落ち込み係合させ、引き続き戸パネル１を開放操作して閉じばね２１を蓄力し、ロックアーム５３をロック状態にリセットできる引戸の閉じ支援装置。
【００５８】
上記の閉じ支援装置によれば、施工時の勘違いや錯誤などによって、閉じ支援装置が正しく組み付けられなかった場合や、何らかの原因でロックアーム５３がロック解除状態に切り換わってしまったような場合であっても、閉じ支援装置をガイドレール２から取外す必要もなく、単に戸パネル１を閉じ操作したのち開放操作するだけで、ロックアーム５３をロック状態にリセットすることができる。したがって、ユーザーや施工業者にとってリセット作業を簡便にしかも迅速に行なえる閉じ支援装置とすることができる。
【００５９】
上記の実施例では、ケース２３の一端をローラー３８で支持したが、その必要はなく、図１４ないし図１６に示すスライダー３８（移行体）でケース２３を支持することができる。スライダー３８は、レール開口２ｂを内外に挟持する外挟持ブロック８５および内挟持ブロック８６と、これら両者を連結する連結軸８７などで構成する。
【００６０】
外挟持ブロック８５は断面が凸字状に形成してあり、その下部前後に規制片４０が張り出してある。外挟持ブロック８５は固定ブロック３３と一体に形成されており、その中央に連結軸８７用の挿通穴８９が形成してある。挿通穴８９の上端と下端とには、内挟持ブロック８６を支持する円形の受座９０と、連結軸８７用の締結座９１とがそれぞれ凹み形成してある。外挟持ブロック８５の上面の対角隅部には、内挟持ブロック８６を着脱姿勢で位置保持する角軸状のストッパー９２が突設してある。
【００６１】
内挟持ブロック８６は、四角形状の橋絡部９４と、橋絡部９４の下面に膨出されるボス部９５を一体に備えた射出成形品からなり、橋絡部９４の対角隅部に先のストッパー９２で受け止められる位置決め用の切欠９６が形成してある。また、切欠９６に連続する短辺部には、固定ブロック３３との接当を避ける逃げ面９７が部分円弧状に形成してある。短辺部の対向間隔Ｔ１がレール開口２ｂの開口幅Ｅより大きく設定してあるのに対し、長辺部の対向間隔Ｔ２はレール開口２ｂの開口幅Ｅより小さく設定してある。内挟持ブロック８６の中央には、連結軸８７用の挿通穴９８が上下貫通状に形成され、その中途部に板ナット９９が嵌め込んである。
【００６２】
連結軸８７は、下端に操作頭部１０１を有するボルトからなり、ねじ軸の上端に抜け止め用の座金１０２がかしめ固定してある。操作頭部１０１には操作溝１０３が凹み形成してある。内挟持ブロック８６のボス部９５を、外挟持ブロック８５の受座９０に嵌め込んだ状態で、連結軸８７を両挟持ブロック８５・８６の挿通穴８９・９８に下方から差し込み、さらに連結軸８７のねじ軸を板ナット９９にねじ込んだ後、座金１０２をねじ軸の上端にかしめ固定することにより、内挟持ブロック８６および連結軸８７を外挟持ブロック８５に対して分離不能に一体化できる。
【００６３】
上記の状態の内挟持ブロック８６は、連結軸８７を僅かに緩めることにより、円形の受座９０に沿って９０度だけ回転変位できる。詳しくは、図１４に想像線で示すように、位置決め用の切欠９６がストッパー９２で受け止められる着脱姿勢と、図１４に実線で示すように、橋絡部９４の長辺部分がストッパー９２で受け止められる掛止姿勢とに姿勢変更できる。したがって、着脱姿勢にした内挟持ブロック８６をレール開口２ｂからレール内へ差し込み、その状態で操作頭部１０１をドライバーで回動操作することにより、橋絡部９４がレール開口２ｂを前後に横断する掛止姿勢に変更することができる。この後、連結軸８７を締め込むことにより、内挟持ブロック８６を外挟持ブロック８５側へ引き寄せて、内挟持ブロック８６を遊動不能に固定できる。この状態のスライダー３８は、前後のレール壁２ａで支持されてスライド自在に移行案内される。
【００６４】
開放端側がスライダー３８で支持してある閉じ支援ユニット４は、図１６に示す要領でガイドレール２に組み込む。まず、ランナー３が装填されたガイドレール２を開口枠の上枠に締結する。次に、内挟持ブロック８６を着脱姿勢にしたうえで、スライダー３８および閉じ支援ユニット４を概ね水平姿勢にして、レール開口２ａからレール内へ差し込む。この状態で内挟持ブロック８６を連結軸８７で回動操作して、レール開口２ａを前後に横断する掛止姿勢にし、図１５に示すように橋絡部９４を前後のレール壁２ａに掛止する。この状態で連結軸８７を締め込んで、内挟持ブロック８６を外挟持ブロック８５に固定する。
【００６５】
最後に閉じ支援ユニット４端部に設けたパイロット片２７のジョイント部７２を、閉じ端側のランナー３の連結座１５の下面にあてがって、パイロット片２７の下方から差し込んだボルト１７を板ナット１６にねじ込んで、閉じ支援ユニット４をランナー３に連結する。支援ユニット４を取り外す場合には、ボルト１７を緩めて抜き取り、さらに連結軸８７を緩めて内挟持ブロック８６を着脱姿勢に戻すだけでよい。
【００６６】
上記の実施例では、戸パネル１が吊車型のランナー３で支持してある場合について説明したが、本発明の閉じ支援ユニット４は、戸パネル１が戸車型のランナー３で支持してある場合にも支障なく適用できる。閉じ支援ユニット４とランナー３とは、ボルト１７で締結する必要はなく、ピンや、互いに嵌合する係合構造で連結することができる。
【符号の説明】
【００６７】
１  戸パネル
２  ガイドレール
２ｂ  レール開口
３  ランナー
４  閉じ支援ユニット
２１  閉じばね
２２  ダンパー
２３  ケース
３８  移行体（ローラー）
【図１】
2010209526.tif 000003
【図２】
2010209526.tif 000004
【図３】
2010209526.tif 000005
【図４】
2010209526.tif 000006
【図５】
2010209526.tif 000007
【図６】
2010209526.tif 000008
【図７】
2010209526.tif 000009
【図８】
2010209526.tif 000010
【図９】
2010209526.tif 000011
【図１０】
2010209526.tif 000012
【図１１】
2010209526.tif 000013
【図１２】
2010209526.tif 000014
【図１３】
2010209526.tif 000015
【図１４】
2010209526.tif 000016
【図１５】
2010209526.tif 000017
【図１６】
2010209526.tif 000018